(57)【特許請求の範囲】
【請求項１】
対向する足場用建枠の横材間に掛け渡された足場板の側縁部上に起立姿勢で取り付けられる幅木であって、幅木本体の両端部には、前記両横材の互いの対向面側に係止される一対の係止凹部を夫々有する端部枠が配設され、一方側の端部枠は、上端部が幅木本体に枢着されて、その係止凹部が他方側の端部枠の係止凹部との距離を短縮する後退方向に傾動可能な可動端部枠からなり、常時はバネの付勢力によって幅木本体長手方向と直交する垂直姿勢に保持され、該可動端部枠をバネの付勢力に抗して後退方向に傾動させることによりその係止凹部を前記横材に係止させ、しかる後に再び前記バネの付勢力によって幅木本体長手方向と直交する垂直姿勢に復帰することによって、幅木本体を足場板の側縁部上に起立姿勢に固定するようにした足場板用幅木であって、
前記幅木本体は、前端面に断面コ字状の端面キャップを装着し、前記可動端部枠は、その上端部が幅木本体に枢着された枢軸を介して該可動端部枠の係止凹部を横材に係止させる垂直姿勢と、該係止凹部を横材から後退させる傾動姿勢との間で傾動可能となっており、該可動端部枠は、横材の軸方向に間隔をあけて配置される内外両側板と該両側板を連結する連結板を備えたコ字状枠によって形成され、前記両側板の下端部に前記係止凹部を形成すると共に、前記連結板を前記端面キャップに対向させた状態で配置し、前記連結板と端面キャップを貫通する規制ボルトとを介して、前記連結板と端面キャップとの間に圧縮コイルバネを設け、可動端部枠を前記圧縮コイルバネに付勢されて前記垂直姿勢に保持するようにしてなる足場用幅木。
【請求項２】
前記他方側の端部枠は、幅木本体の一端部に固定された固定端部枠からなることを特徴とする請求項１に記載の足場用幅木。
【請求項３】
前記規制ボルトに抜け止め用ナットを取り付け、前記可動端部枠が前記垂直姿勢から後退方向に一定角度傾動できるが前進方向には前記抜け止め用ナットに阻止されて傾動できないようにし、前記規制ボルトと抜け止めナットは可動端部枠の傾動阻止手段を構成してなる請求項１又は２に記載の足場用幅木。
【請求項４】
可動端部枠を幅木本体長手方向と直交する垂直姿勢にロックするロック手段が、可動端部枠と幅木本体との間に介設されている請求項１〜３の何れかに記載の足場用幅木。
【請求項５】
ロック手段は、幅木本体を貫通して軸支される支軸部と、支軸部の先端部から幅木本体の側面に沿うように直角に突出した操作用軸部と、操作用軸部の先端部から支軸部と平行に突出し、垂直姿勢での可動端部枠側と幅木本体との重合部分に貫設したロック孔に対し係脱自在な係止用軸部と、からなるロックピン、及びこのロックピンの支軸部を常時係止用軸部がロック孔に係入するように付勢するバネによって構成される請求項４に記載の足場用幅木。
【請求項６】
各端部枠の一対の係止凹部は、足場用建枠の横材に係止された足場板のフックを挟んでその両側に係止されるようになっている請求項１〜５の何れかに記載の足場板用幅木。
【請求項７】
可動端部枠には、傾転操作するために指を挿入する指挿入穴が設けられている請求項１〜６の何れかに記載の足場板用幅木。
【請求項８】
各端部枠は内外両側板と両側板をつなぐ連結板とで形成されるコ字枠からなるもので、その連結板が幅木本体の端面に対向するように取り付けられ、両側板の夫々下端部に夫々係止凹部を有する一対の係止片が形成されている請求項１〜７の何れかに記載の足場板用幅木。
【請求項９】
各端部枠は内外両側板と両側板をつなぐ連結板とで形成されるコ字枠からなるもので、各端部枠を形成する内外側板の何れか一方に位置決め孔が複数設けられ、他方の側板には、幅木を横向きにして一方側の端部枠どうし及び他方側の端部枠どうしが重なるように複数段に積み重ねた時に前記一方の側板の位置決め孔に嵌合する位置決め突起が複数設けられている請求項請求項１〜８の何れかに記載の足場板用幅木。
【発明の詳細な説明】
【技術分野】
【０００１】
本発明は、建築現場等で仮設される足場板の側縁部上に起立姿勢に取り付けられる足場用幅木に関する。
【背景技術】
【０００２】
建築現場等における足場板上での高所作業では、作業者の手にしたボルト、ナット、金具類等の種々の施工用物品や工具類、足元に置いた各種資材や用具等を誤って落下させ、事故につながるという危険性が常に付きまとう。そこで、足場板の側縁部上に幅木を取り付けるようにしている。
【０００３】
従来の足場用幅木として、例えば、下記特許文献１に記載されたものがある。これは、幅木本体の外面側に、複数のスライドロック金具が、夫々ロックボルトの回動操作によって幅木本体に対し上下にスライドするように取り付けられ、各スライドロック金具は、幅木本体よりも下方に突出する下部に幅木本体の下面と対向するロック片を備え、このロック片と幅木本体の下面との間に足場板の側縁部を嵌め込んだ状態で、スライドロック金具が上方へスライドするようにロックボルトを締め付けることによって、幅木本体が垂直姿勢に固定されるようになっている。
【先行技術文献】
【特許文献】
【０００４】
【特許文献１】特開２００２−２２７４０２公報
【発明の概要】
【発明が解決しようとする課題】
【０００５】
上記のような従来の足場用幅木では、足場板への幅木本体の取付け及び取外し操作が面倒で手間がかかるという問題があった。
【０００６】
本発明は、上記の事情に鑑み、足場板への幅木本体の取付け及び取外しが簡単容易に行える足場用幅木を提供することを目的とする。
【課題を解決するための手段】
【０００７】
上記課題を解決するための手段を、後述する実施形態の参照符号を付して説明すると、請求項１に係る発明は、対向する足場用建枠２，２の横材３、３間に掛け渡された足場板１の側縁部上に起立姿勢で取り付けられる幅木であって、幅木本体５の両端部には、前記両横材３の互いの対向面側に係止される一対の係止凹部１０ａ，１０ａ、１１ａ，１１ａを夫々有する端部枠８，９が配設され、一方側の端部枠８は、上端部が幅木本体５に枢着されて、その係止凹部１０ａ，１０ａが他方側の端部枠９の係止凹部１１ａ，１１ａとの距離を短縮する後退方向に傾動可能な可動端部枠からなり、常時はバネ１３の付勢力を介して幅木本体長手方向と直交する垂直姿勢に保持され、該可動端部枠８をバネ１３の付勢力に抗して後退方向に傾動させることによりその係止凹部１０ａ，１０ａを前記横材３に係止させ、しかる後に再び前記バネ１３の付勢力を介して幅木本体長手方向と直交する垂直姿勢に復帰することによって、幅木本体５を足場板１の側縁部上に起立姿勢に固定するようにした足場板用幅木であって、前記幅木本体５は、前端面に断面コ字状の端面キャップ６，７を装着し、前記可動端部枠８は、その上端部が幅木本体５に枢着された枢軸１２を介して該可動端部枠８の係止凹部１０ａ，１０ａを横材３に係止させる垂直姿勢と、該係止凹部１０ａ，１０ａを横材３から後退させる傾動姿勢との間で傾動可能となっており、該可動端部枠８は、横材３の軸方向に間隔をあけて対向配置される内外両側板ａ，ａと該両側板ａ，ａを連結する連結板ｂを備えたコ字状枠によって形成され、前記両側板ａ，ａの下端部に前記係止凹部１０ａ，１０ａを形成すると共に、前記連結板ｂを前記端面キャップ６，７に対向させた状態で配置し、前記連結板ｂと端面キャップ６，７を貫通する規制ボルト１５とを介して、前記連結板ｂと端面キャップ６，７との間に圧縮コイルバネ１３を設け、可動端部枠８を前記圧縮コイルバネ１３に付勢されて前記垂直姿勢に保持するようにしてなることを特徴とする。
【０００８】
請求項２は、請求項１に記載の足場板用幅木において、  前記他方側の端部枠は、幅木本体の一端部に固定された固定端部枠からなることを特徴とする。
【０００９】
請求項３は、請求項１又は２に記載の足場板用幅木において、前記規制ボルト１５に抜け止め用ナット１６を取り付け、前記可動端部枠８が前記垂直姿勢から後退方向に一定角度傾動できるが前進方向には前記抜け止め用ナット１６に阻止されて傾動できないようにしてあり、しかして前記規制ボルト１５と、抜け止めナット１６は可動端部枠８の傾動阻止手段１６Ａを構成してなることを特徴とする。
【００１０】
請求項４は、請求項１〜３の何れかに記載の足場板用幅木において、可動端部枠８を幅木本体５長手方向と直交する垂直姿勢にロックするロック手段２２が、可動端部枠８と幅木本体５との間に介設されていることを特徴とする。
【００１１】
請求項５は、請求項４に記載の足場板用幅木において、ロック手段２２は、幅木本体５を貫通して軸支される支軸部２６と、支軸部２６の先端部から幅木本体５の側面に沿うように直角に突出した操作用軸部２７と、操作用軸部２７の先端部から支軸部２６と平行に突出し、垂直姿勢での可動端部枠８側と幅木本体５との重合部分に貫設したロック孔２８に対し係脱自在な係止用軸部２９と、からなるロックピン２４、及びこのロックピン２４の支軸部２６を常時係止用軸部２９がロック孔２８に係入するように付勢するバネ２５によって構成されることを特徴とする。
【００１２】
請求項６は、請求項１〜５の何れかに記載の足場板用幅木において、各端部枠８，９の一対の係止凹部１０ａ，１０ａ、１１ａ，１１ａは、足場用建枠２の横材３に係止された足場板１のフックＦを挟んでその両側に係止されるようになっていることを特徴としている。
【００１３】
請求項７は、請求項１〜６の何れかに記載の足場板用幅木において、可動端部枠８には、傾動操作するために指を挿入する指挿入穴１９が設けられていることを特徴とする。
【００１４】
請求項８は、請求項１〜７のいずれかに記載の足場板用幅木において、各端部枠８，９は両側板ａ，ａとこれらをつなぐ連結板ｂとで形成されるコ字枠からなるもので、その連結板ｂが幅木本体５の端面に対向するように取り付けられ、両側板ａ，ａの夫々下端部に夫々係止凹部１０ａ，１０ａ、１１ａ，１１ａを有する一対の係止片１０，１０、１１，１１が形成されていることを特徴とする。
【００１５】
請求項９は、請求項１〜８のいずれかに記載の足場板用幅木において、各端部枠８，９は内外両側板ａ，ａと両側板ａ，ａをつなぐ連結板ｂとで形成されるコ字枠からなるもので、各端部枠８，９を形成する内外側板ａ，ａの何れか一方ａに位置決め孔２０が複数設けられ、他方の側板ａには、幅木４を横向きにして一方側の端部枠、例えば可動端部枠８どうし及び他方側の端部枠、例えば固定端部枠９どうしが重なるように複数段に積み重ねた時に前記一方の側板ａの位置決め孔２０に嵌合する位置決め突起２１が複数設けられていることを特徴とする。
【発明の効果】
【００１６】
上記解決手段による発明の効果を、後述する実施形態の参照符号を付して説明すると、請求項１に係る発明によれば、足場用幅木４を足場板１に取り付けるのに、他方側の端部枠９の一対の係止凹部１１ａ，１１ａを一方の足場用建枠２の横材３に係止した後、反対側の可動端部枠８をバネ１３に抗し後退方向に傾動させて、該一方側の可動端部枠８側の係止凹部１０ａと他方側の端部枠９側の係止凹部１１ａとの距離を短縮した状態から、この可動端部枠８の一対の係止凹部１０ａ，１０ａを他方の足場用建枠２の横材３に係止することにより、簡単容易に取り付けることできると共に、各端部枠８，９の各一対の係止凹部１０ａ，１０ａ、１１ａ，１１ａが横材３に係止するから、幅木本体５を安定よく足場板１の側縁部上に固定させることができる。
【００１７】
また、上記のように他方側の端部枠９の係止凹部１１ａを横材３に係止させた後、一方側の可動端部枠８側の係止凹部１０ａを横材３に係止させる時、バネ１３の付勢力によって他方側の端部枠９側の係止凹部１１ａも横材３に係止することになるから、一方側の可動端部枠８側の係止凹部１０ａと他方側の端部枠９側の係止凹部１１ａとが互いに反対方向に突っ張りあって、幅木本体５を足場板１の側縁部上に起立姿勢により安定よく固定させることができる。
【００１８】
足場用幅木４を足場板１から取り外す時には、上記した取付時とは逆の順序で、可動端部枠８を後退方向に傾動させて、その係止凹部１０ａを横材３から外した後、他方側の端部枠９を横材３から外すようにすれば、簡単容易に取り外しを行うことができる。
【００１９】
又、前記幅木本体５は、前端面に断面コ字状の端面キャップ６，７を装着し、前記可動端部枠８は、その上端部が幅木本体５に枢着された枢軸１２を介して該可動端部枠８の係止凹部１０ａ，１０ａを横材３に係止させる垂直姿勢と、該係止凹部１０ａ，１０ａを横材３から後退させる傾動姿勢との間で傾動可能となっており、該可動端部枠８は、横材３の軸方向に間隔をあけて対向配置される内外両側板ａ，ａと該両側板ａ，ａを連結する連結板ｂを備えたコ字状枠によって形成され、前記両側板ａ，ａの下端部に前記係止凹部１０ａ，１０ａを形成すると共に、前記連結板ｂを前記端面キャップ６，７に対向させた状態で配置し、前記連結板ｂと端面キャップ６，７を貫通する規制ボルト１５とを介して、前記連結板ｂと端面キャップ６，７との間に圧縮コイルバネ１３を設け、可動端部枠８を前記圧縮コイルバネ１３に付勢されて前記垂直姿勢に保持するようにしてなるため、可動端部材８の垂直姿勢と傾動姿勢との間の動きを円滑に且つ確実に行わせることができ、しかも構成が簡単である。
【００２０】
請求項２に係る発明によれば、前記他方側の端部枠９は、幅木本体５の一端部に不動状態に固定される固定端部枠９からなるため、当然のことながら一方側の可動端部枠８よりも構成が簡単で製作費が安くつくと共に、両端部枠８，９を横材３，３に係止する際に、先ず固定端部材９を他方の横材３に係止し、しかる後に可動端部枠８を横材３に係止することになるが、可動端部枠８が横材３に弾力的に係止されるのに対し、固定端部枠９は横材３に剛体的に係止されることになり、固定端部枠９の横材３に対する係止力を強くすることができる。
【００２１】
請求項３に係る発明によれば、前記規制ボルト１５に抜け止め用ナット１６を取り付け、前記可動端部枠８が前記垂直姿勢から後退方向に一定角度傾動できるが前進方向には前記抜け止め用ナット１６に阻止されて傾動できないようにしてあり、しかして前記規制ボルト１５と、抜け止めナット１６は可動端部枠８の傾動阻止手段１６Ａを構成してなるため、可動端部枠８が前記垂直姿勢から後退方向に一定角度傾動できるが前進方向には前記抜け止め用ナット１６に阻止されて傾動できない動きを簡単な構成で確実に達成することができる。
【００２２】
請求項４に係る発明によれば、可動端部枠８を垂直姿勢にロックするロック手段２２を可動端部枠８と幅木本体５の間に介設しているため、このロック手段２２によって可動端部枠８をロック状態にしておけば、このロック状態では、可動端部枠８が幅木本体５に対し傾動不能に固定されるから、可動端部枠８側に上向きの大きな力が作用しても、可動端部枠８が圧縮コイルバネ１３の付勢力に抗し後退方向に傾動して係止凹部１０ａが横材３から離脱する危険性がない。
【００２３】
請求項５に係る発明によれば、ロック手段２２が、支軸部２６と、操作用軸部２７と、垂直姿勢での可動端部枠８側と幅木本体５との重合部分に貫設したロック孔２８に対し係脱自在な係止用軸部２９と、からなる鉤形のロックピン２４、及びロックピン２４の支軸部２６を常時係止用軸部２９がロック孔２８に係入するように付勢するバネ２５によって構成されるから、ロック手段２２の構造が簡単で製作が容易となる。
【００２４】
請求項６に係る発明によれば、各端部枠８，９の一対の係止凹部１０ａ，１０ａ、１１ａ，１１ａは、足場用建枠２の横材３に係止された足場板１のフックＦを挟んでその両側に係止させる構成であるから、製作にあたって端部枠８，９の下端部の構造が簡単になると共に、各一対の係止凹部１０ａ，１０ａ、１１ａ，１１ａを横材３に対し安定よく係止させることができ、また幅木４を隣り合わせに連続して取り付ける際に、足場板１のフックＦと係止凹部１０ａ，１０ａ、１１ａ，１１ａとが干渉するようなことがなく、それらを的確に係止させることができる。
【００２５】
請求項７に係る発明によれば、可動端部枠８に指挿入穴１９が設けてあるから、手で可動端部枠８を傾動させる時に指を挿入することによって、傾動操作を容易に行うことができる。
【００２６】
請求項８に係る発明によれば、各端部枠８，９が、両側板ａ，ａと連結板ｂで形成されるコ字枠からなるもので、その連結板ｂを幅木本体５の端面に対向するように取り付け、両側板ａ，ａの夫々下端部に夫々係止凹部１０ａ，１０ａ、１１ａ，１１ａを有する一対の係止片１０，１０、１１，１１を形成する構成であるため、端部枠８，９の製作が容易で、端部枠８，９への取付けが簡単容易となる。
【００２７】
請求項９に係る発明によれば、コ字枠からなる各端部枠８，９を形成する内外側板ａ，ａの何れか一方ａに複数の位置決め孔２０を設け、他方の側板ａには、幅木４を横向きにして一方側の端部枠、例えば可動端部枠８どうし及び他方側の端部枠、例えば固定端部枠９どうしが重なるように複数段に積み重ねた時に前記一方の側板ａの位置決め孔２０に嵌合する位置決め突起２１を複数設けているから、幅木４をトラックなどで運搬したり、工場などに保管するような時に各幅木４を横向きにして複数段積み重ねる場合に、上下に隣り合う下段側端部枠８，９の位置決め突起２１を上段側端部枠８，９の位置決め孔２０に嵌合させることにより、幅木４を整列状態に積み重ねできると共に、荷崩れを防止することができる。
【図面の簡単な説明】
【００２８】
【図１】(a) は本発明に係る足場板用幅木を幅木本体の外面側から見た正面図、(b) は平面図である。
【図２】(a) は図１に示す足場板用幅木の拡大正面図、(b) は底面図、(c) は右側面図である。
【図３】(a) は足場板に取り付けた足場板用幅木の可動端部枠部分を幅木本体の内側から見た斜視図、(b) は同足場板用幅木の固定端部枠部分を幅木本体の内側から見た斜視図である。
【図４】(a) は本発明に係る足場板用幅木の取付方法を示すもので、幅木本体の外面側から見た正面図、(b) は足場板に隣り合わせに連続して取り付けた足場板用幅木を幅木本体の外面側から見た拡大正面図、(c) は(b) の平面図である。
【図５】足場板用幅木を横向きにして複数段積み重ねた状態を示す正面図である。
【図６】ロック手段を備えた足場板用幅木の可動端部枠部分を幅木本体の内側から見た斜視図である。
【図７】ロック手段を備えた足場板用幅木の可動端部枠部分を幅木本体の外側から見た斜視図である。
【図８】(a) はロック手段を備えた足場板用幅木の可動端部枠部分を幅木本体の内側から見た拡大正面図であり、(b) は(a) のＸ−Ｘ線断面図、(c) は(a) のＹ−Ｙ線断面図である。
【図９】(a) 及び(b) はロック手段を備えた足場板用幅木の可動端部枠の作用を示す説明図で、可動端部枠がロック解除された状態を示す。
【図１０】図９の(a) ，(b) と同じくロック手段を備えた足場板用幅木の可動端部枠の作用を示す説明図で、可動端部枠がロックされた状態を示す。
【発明を実施するための形態】
【００２９】
以下に本発明の実施形態を図面に基づいて説明すると、足場板１は、図３の(a) ，(b) に示すように、対向する足場用建枠２，２の横材３，３間に掛け渡され、この足場板１の側縁部上に本発明に係る足場用幅木４が起立姿勢に取り付けられている。足場板１の両端部には夫々フックＦがその左右端側に突設されている。尚、足場板１のフックＦは、フック本体ｆａと落下錠ｆｂとからなる（図４の(b) ，(c) 参照）。
【００３０】
足場用幅木４は、図１及び図２に示すように、内側壁５ａと、上壁部５ｂと、下壁部５ｃと、上下壁部５ｂ，５ｃから夫々内向きに突出するフランジ５ｄとにより断面略Ｃ字状に形成されると共に、両端面に断面コ字状の端面キャップ６，７が装着されてなる幅木本体５を有し、この幅木本体５の両端部には端部枠８，９が取り付けられている。
【００３１】
図２及び図３から分かるように、各端部枠８，９は、内外両側板ａ，ａと両側板ａ，ａをつなぐ連結板ｂとにより形成されるコ字枠からなるもので、その連結板ｂが幅木本体５の端面側に対向するように取り付けられ、そして両側板ａ，ａの夫々下端部には、足場用建枠２の横材３に係止された足場板のフックＦを挟んでその両側に係止される夫々略半円形状係止凹部１０ａ，１０ａ、１１ａ，１１ａを形成した係止片１０，１０、１１，１１が設けられている。
【００３２】
一端側の端部枠８は、図２の(a) ，(b) の夫々左端及び図３の(a) に示されるように、その上端部側が幅木本体５に対し枢軸１２により枢着されて、下端部側の係止凹部１０ａ，１０ａが他端側の端部枠９の係止凹部１１ａ，１１ａとの距離を短縮する後退方向に傾動可能な可動端部枠で、常時はバネ１３を介して幅木本体５の長手方向と直交する垂直姿勢に保持されている。
【００３３】
この可動端部枠８の構造につき更に説明すれば、図２の(a) ，(b) から分かるように、コ字枠からなる端部枠８に、これよりも幅の狭いのコ字枠からなる取付枠１４を背中合わせ状態にリベット３１で固定し、このコ字枠状取付枠１４を、幅木本体５の対向端部に対しコ字枠深さ方向の半分程度嵌合した状態で、取付枠１４の上端部を枢軸１２により幅木本体５の上端部に枢着する。そして、可動端部枠８の連結板ｂ及び取付枠１４の上下方向中央部から、幅木本体５に取り付けてある端面キャップ６の上下方向中央部にわたって規制ボルト１５を貫通して、その先端部に抜け止め用ナット１６を取り付け、前記可動端部枠８が前記垂直姿勢から後退方向に一定角度傾動できるが前進方向には前記抜け止め用ナット１６に阻止されて傾動できないようにしてあり、しかして前記規制ボルト１５と、抜け止めナット１６は可動端部枠８の傾動阻止手段１６Ａを構成すると共に、このボルト１５には取付枠１４と端面キャップ６との間に圧縮コイルバネ１３を介装し、更にコ字枠状取付枠１４の下端部には内外方向に貫通する一定長さの長孔１７を、枢軸１２を曲率中心とする曲線に沿って設け、この長孔１７には幅木本体５側に固定したボルト１８を挿通して、端部枠８の傾動範囲を規制すると共に、圧縮コイルバネ１３の付勢力によって端部枠８を常時は幅木本体５の長手方向と直交する垂直姿勢に保持できるようにし、それにより端部枠８を前記垂直姿勢から後退方向に一定角度範囲傾動できるが、前進方向には傾動できないようにしている。
【００３４】
他端側の端部枠９は、図２の(a) ，(b) の夫々右端及び図３の(b) に示されるように、幅木本体５の端部に固定された固定端部枠である。この固定端部枠９は、幅木本体５の端部に幅木本体５の長手方向と直交する垂直姿勢に固定されているだけで、端部枠９自体の構造は可動端部枠８と全く同じであり、従って、図面には同一符号を付して説明を省略する。また固定端部枠９は、幅木本体５の端面に装着された断面コ字状の端面キャップ７に背中合わせ状態にリベット３１で固定されている。
【００３５】
また図２の(b) に示すように、幅木本体５の一端側の可動端部枠８と他端側の固定端部枠９とは、幅木本体５の端部に対し互いに前後にずらして取り付けられている。これは、図４の(b) 及び(c) に示すように、幅木４を隣り合わせに連続して取り付ける際に、横材３の同じ個所に係止する可動端部枠８の係止片１０と固定端部枠９の係止片１１とが干渉することを避けるためである。
【００３６】
また図３の(a) ，(b) 及び図２の(a) に示すように、可動端部枠８を形成する内外一対の側板ａ，ａの夫々下部側には、傾動操作する際に例えば人差指と中指の２本の指を挿入する指挿入穴１９，１９が上下に設けられている。また図２の(a) に示すように、可動端部枠８の内外側板ａ，ａの一方側、例えば外側の側板ａには上部側に上下２つの位置決め孔２０，２０が設けられ、他方側である内側の側板ａには上部側に前記２つの位置決め孔２０，２０に嵌合する上下２つの位置決め突起２１，２１が設けられ、固定端部枠９の内外側板ａ，ａの上部側には、可動端部枠８とは内外逆の位置に夫々上下２つの位置決め孔２０，２０と上下２つの位置決め突起２１，２１が設けてある。
【００３７】
尚、この実施形態では、図２〜図５に示すように、固定端部枠９にも指挿入穴１９が可動コ端部枠８と左右対称位置に設けられているが、そのようにすることにより、可動端部枠８と固定端部枠９とが全く同じ形状となり、それによって製作コストを安くできるからである。
【００３８】
上記のように構成される足場用幅木４を足場板１に取り付けるには、図３の(a) ，(b) 及び図４の(a) に示すように、幅木本体５を持ち上げた状態から足場板１の側縁部上に下ろし、先に固定端部枠９の一対の係止片１１，１１を一方の横材３と足場板１の先端部との間に挿入して、その係止凹部１１ａ，１１ａを、既に横材３に係止されている足場板１のフックＦを挟むように係止して図３の(b) に示すような状態とした後、反対側の可動端部枠８をバネ１３に抗して枢軸１２を中心に後退方向に傾動して、図４の(a) に示すように可動端部枠８側の係止凹部１０ａと固定端部枠９側の係止凹部１１ａとの距離を短縮した状態から、この可動端部枠８の一対の係止片１０，１０の係止凹部１０ａ，１０ａを、図３の(a) に示すように、既に横材３に係止されている足場板１のフックＦを挟むように係止することにより、可動端部枠８がバネ１３の付勢力で垂直姿勢に復帰して、係止凹部１０ａ，１０ａを横材３に弾接係止すると共に、固定端部枠９側の係止凹部１１ａ，１１ａも横材３に弾接係止し、それによって幅木本体５を足場板１の側縁部上に起立姿勢に固定することができる。なお、可動端部枠８は圧縮コイルバネ１３或いは板バネ２３の付勢力によって可動端部枠８の係止凹部１０ａを横材３に弾接係止するとなっているが、前述のように、又、図４（ａ）に示すように、可動端部枠８に一体的に取り付けられたコ字枠状取付枠１４の下端部には長孔１７を貫設し、これに対応して幅木本体５側に固着したボルト１８を長孔１７に挿通して、可動端部枠８の傾動範囲を長孔１７の一定長さの範囲に規制するようになっているため、可動端部枠８の係止凹部１０ａは上記長孔１７の一定長さの範囲内で横材３に係止するが、それ以上は長孔１７の一定長さに規制されて上記係合凹部１０ａが横材３に弾接的に係止するまでに至らない場合がある。
【００３９】
要するに、取付け時には、先に固定端部枠９の一対の係止凹部１１ａ，１１ａを一方の足場用建枠２の横材３に係止させてから、反対側の可動端部枠８をバネ１３に抗して後退方向に傾動させ、可動端部枠８側の係止凹部１０ａと固定端部枠９側の係止凹部１１ａとの距離を短縮した状態から、この可動端部枠８の一対の係止凹部１０ａ，１０ａを他方の足場用建枠２の横材３に係止すればよいから、簡単容易に取り付けることできると共に、各端部枠８，９の各一対の係止凹部１０ａ，１０ａ、１１ａ，１１ａが横材３に係止するために幅木本体５を安定よく足場板１の側縁部上に固定することができる。また、足場用幅木４を足場板１から取り外す時は、取付時とは逆の順序で、可動端部枠８を後退方向に傾動して、その係止凹部１０ａを横材３から外した後、固定端部枠９を横材３から外せばよいから、簡単容易に取り外すことができる。
【００４０】
また、幅木本体４の取付け時には、先に固定端部枠９の係止凹部１１ａを横材３に係止させた後、可動端部枠８側の係止凹部１０ａを横材３に係止させると、バネ１３の付勢力によって固定端部枠９側の係止凹部１１ａも横材３に係止することになるから、可動端部枠８側の係止凹部１０ａと固定端部枠９側の係止凹部１１ａとが互いに反対方向に突っ張りあって、幅木本体５を足場板１の側縁部上に起立姿勢に強固に固定することができる。
【００４１】
この実施形態では、各端部枠８，９の一対の係止凹部１０ａ，１０ａ、１１ａ，１１ａは、横材３に係止されている足場板１のフックＦを挟んでその両側に係止されるようになっているが、足場板１のフックＦを挟むことなく、そのフックＦの片側で横材３に係止するようにしてもよい。但し、実施形態のように足場板１のフックＦを挟んでその両側に係止させる構成にすれば、端部枠８，９の下端部の構造をコンパクトに形成できると共に、一対の係止凹部１０ａ，１０ａ、１１ａ，１１ａを横材３に対し安定よく係止でき、また図４の(b) ，(c) に示すように幅木４を隣り合わせに連続して取り付ける際に、足場板１のフックＦと係止凹部１０ａ，１０ａ、１１ａ，１１ａとが干渉するようなことがなく、それらを的確に係止させることができる。
【００４２】
また、各端部枠８，９は両側板ａ，ａと連結板ｂで形成されるコ字枠からなるもので、その連結板ｂを幅木本体５の端面に対向するように取り付け、両側板ａ，ａの夫々下端部に夫々略半円形状係止凹部１０ａ，１０ａ、１１ａ，１１ａを有する一対の係止片１０，１０、１１，１１を形成している構成であるため、端部枠８，９の製作が容易で、端部枠８，９への取付けが簡単且つ容易となる。
【００４３】
図５は、足場板用幅木４をトラックなどで運搬したり、工場などに保管するような時に各幅木４を横向きにして複数段積み重ねた状態を示している。この場合、図２の(a) に示されるように、各端部枠８，９を形成する可動端部枠８の内外側板ａ，ａの一方側、例えば外側の側板ａには上部側に上下２つの位置決め孔２０，２０が設けられ、他方側である内側の側板ａには上部側に前記２つの位置決め孔２０，２０に嵌合する上下２つの位置決め突起２１，２１が設けられ、固定端部枠９の内外側板ａ，ａの上部側には、可動端部枠８とは内外逆の位置に夫々上下２つの位置決め孔２０，２０と上下２つの位置決め突起２１，２１が設けてあることから、図５に示すように、上下に隣り合う下段側端部枠８，９の位置決め突起２１を上段側端部枠８，９の位置決め孔２０に嵌合させることによって、幅木４を整列状態に積み重ねできると共に、荷崩れを防止することができる。
【００４４】
図６〜図９には、可動端部枠８を幅木本体５の長手方向と直交する垂直姿勢にロックするロック手段２２を備えた足場用幅木４の実施形態を示している。図６はロック手段２２を備えた足場用幅木４の可動端部枠８部分を幅木本体５の内側から見た斜視図、図７は図６と同じ可動端部枠８部分を幅木本体４の外側から見た斜視図であり、また図８の(a) はロック手段２２を備えた足場用幅木４の可動端部枠８部分を幅木本体５の内側から見た拡大正面図、(b) は(a) のＸ−Ｘ線断面図、(c) は(a) のＹ−Ｙ線断面図である。
【００４５】
ここに示す可動端部枠８は、図１〜図５により説明した実施形態のものと同じ構造で、内外両側板ａ，ａと連結板ｂとにより形成されるコ字枠からなり、両側板ａ，ａの夫々下端部には、足場用建枠２の横材３に係止される夫々略半円形状係止凹部１０ａ，１０ａを形成した係止片１０，１０が設けられている。そして、図８の(a) 〜(c) に示すように、この可動端部枠８には、これよりも幅の狭いのコ字枠からなる取付枠１４を背中合わせ状態にリベット３１で固定し、このコ字枠状取付枠１４を、幅木本体５の対向端部に対しコ字枠深さ方向の半分程度嵌合した状態で、取付枠１４の上端部を枢軸１２により幅木本体５の上端部に枢着している。
【００４６】
そしてまた図８の(a) に示すように、コ字枠状取付枠１４内には板バネ２３を挿入し、この板バネ２３の上端部２３ａを前記枢軸１２の上側外周面を接触経由し、該外周面に強く当接させた状態で幅木本体５の上壁部５ｂ内面部に係止させ、その下端部２３ｂを取付枠１４の連結板ｂの内面下端部に弾接させ、更にコ字枠状取付枠１４の下端部には、図６及び図７からも分かるように、内外方向に貫通する一定長さの長孔１７を、枢軸１２を曲率中心とする曲線に沿って設け、この長孔１７には幅木本体５側に固定したボルト１８を挿通して、可動端部枠８の傾動範囲を規制すると共に、前記板バネ２３の付勢力によって端部枠８を常時は幅木本体５の長手方向と直交する垂直姿勢に保持できるようにし、それにより端部枠８を前記垂直姿勢から後退方向に一定角度範囲傾動できるが、前進方向には傾動できないようにしている。
【００４７】
上記のような構成の可動端部枠８を幅木本体５の長手方向と直交する垂直姿勢にロックするためのロック手段２２は、鉤形状のロックピン２４と円錐台形状のコイルバネ２５とからなるもので、ロックピン２４は、幅木本体５の内側壁５ａに設けた軸孔３２を貫通して軸支される支軸部２６と、この支軸部２６の先端部から幅木本体５の内側壁５ａ外面に沿うように直角に突出した操作用軸部２７と、この操作用軸部２７の先端部から支軸部２６と平行に突出し、垂直姿勢での可動端部枠８側の取付枠１４と幅木本体５の内側壁５ａとの重合部分に貫設したロック孔２８に対し係脱自在な係止用軸部２９とによって形成され、そして支軸部２６は、上記のように内側壁５ａの軸孔３２に軸支されると共に、幅木本体５の内側壁５ａ裏面に取り付けられた台形状ブラケット３０の台座部３０ａの軸孔３３に軸支されている。
【００４８】
上記ロックピン２４と共にロック手段２２を構成する円錐台形状のコイルバネ２５は、図８の(a) 〜(c) に示すように、幅木本体５の内側壁５ａ裏面に取り付けられた台形状ブラケット３０の台座部３０ａとこの台座部３０ａの軸孔３３に挿通支持されたロックピン２４の支軸部２６の先端部に螺着された取付ナット３１との間に介装されていて、係止用軸部２９が常時ロック孔２８に係入するように支軸部２６に付勢力を付与している。
【００４９】
図６〜図８は、可動端部枠８が係止片１０の係止凹部１０ａを足場用建枠２の横材３に係止させて幅木本体５に対し垂直姿勢となった状態でロック手段２２によってロックされた状態を示したもので、ロックピン２４の係止用軸部２９がロック孔２８に突入係止されている。このロック状態から、ロックピン２４の操作用軸部２７をコイルバネ２５の付勢力に抗し図６の矢印で示すように手前側に引っ張って、図８の(b) の仮想線図示のように係止用軸部２９をロック孔２８から抜き出した後、図６の仮想線で示すように支軸部２６周りに回転させて、係止用軸部２９を取付枠１４から離れた幅木本体５の内側壁５ａ外面に係止させておくことにより、可動端部枠８は、ロック解除されて、上端部の枢軸１２を中心に固定端部枠９側の係止凹部１１ａとの距離を短縮する後退方向に傾動可能な状態となる。
【００５０】
上記した図６〜図８に示すようなロック手段２２を備えた可動端部枠８の作用について図９及び図１０によって以下に説明すると、図９の(a) は、足場用幅木４の取付けにあたり、ロックピン２４の係止用軸部２９をロック孔２８から抜いて幅木本体５の内側壁５ａ外面に当て付けることによりロック手段２２をロック解除した状態で、横材３の上方より足場用幅木４の可動端部枠８側を下ろして、可動端部枠８の係止片１０の係止凹部１０ａを横材３に係止しようとする状態を示している。このロック解除状態において、可動端部枠８は、垂直姿勢に保持されていて、この垂直姿勢から後退方向には一定角度範囲傾動可能であるが、前進方向には傾動不能である。尚、この足場用幅木４の固定端部枠９については、図１〜図５によって説明したものと全く同じ構造であるため、その作用の説明を省略する。
【００５１】
いま図９の(a) に示すように、係止片１０の下端部を横材３の周面上にその中心部より若干手前側に当接させた状態から幅木４の可動端部枠８側を押し下げると、係止片１０のの下端部が横材３の周面に沿って滑り落ちながら、この係止片１０には横材３から後退する方向の力が作用して、可動端部枠８は、板バネ２３の付勢力に抗して図９の(b) に示すように枢軸１２を中心に後退方向に傾動し、最終的に係止片１０の係止凹部１０ａが図１０に示すような状態で横材３に係止し、幅木本体５を足場板１の側縁部上に起立姿勢に固定することができる。
【００５２】
図１０は、係止片１０の係止凹部１０ａが横材３に弾接係止して可動端部枠８が垂直姿勢に保持された状態から、それまで図９の(a) に示すように取付枠１４から離れた幅木本体５の内側壁５ａ外面に当て付けておいたロックピン２４の係止用軸部２９をロック孔２８に突入係止させることによって、ロック手段２２をロックした状態を示している。このロック状態では、可動端部枠８が幅木本体５に対し傾動不能に固定されるから、同図に示すように係止片１０の係止凹部１０ａが横材３に係止した状態から係止凹部１０ａが離脱することがない。
【００５３】
係止片１０の係止凹部１０ａが横材３に止して垂直姿勢となった可動端部枠８は、ロック手段２２をロックしなくても、板バネ２３により垂直姿勢に保持されて、横材３に対する係止状態が維持されるわけであるが、そのような状態で可動端部枠８側に上向きの大きな力が作用した時に、可動端部枠８が板バネ２３の付勢力に抗して後退方向に傾動して、係止凹部１０ａが横材３から離脱するおそれがあることから、ロック手段２２によって可動端部枠８をロックしておくことで、そのような不測の事態を回避することができる。
【００５４】
図６〜図１０に示す実施形態の足場用幅木４には可動端部枠８のみを図示しているが、固定端部枠９については図２〜図５によって説明した実施形態の足場用幅木４と同じである。また、図６〜図１０に示す実施形態の足場用幅木４において、可動端部枠８それ自体の構造については図２〜図５の可動端部枠８と同じであり、可動端部枠８の内外側板ａ，ａの一方の側板ａには上部側に上下２つの位置決め孔２０，２０が設けられ、他方の側板ａには上部側に前記２つの位置決め孔２０，２０に嵌合する上下２つの位置決め突起２１，２１が設けられ、固定端部枠９の内外側板ａ，ａの上部側には、可動端部枠８とは内外逆の位置に夫々上下２つの位置決め孔２０，２０と上下２つの位置決め突起２１，２１が設けてある。
【符号の説明】
【００５５】
１              足場板
Ｆ              足場板のフック
２              足場用建枠
３              横材
４              足場板用幅木
５              幅木本体
８              可動端部枠（一方側の端部枠）
９              固定端部枠（他方側の端部枠）
１０，１１      係止片
１０ａ，１０ａ  係止凹部
１１ａ，１１ａ  係止凹部
１３            コイルバネ
１９            指挿入穴
２０            位置決め孔
２１            位置決め突起
２２            ロック手段
２３            板バネ
２５            コイルバネ
【図１】
0005292495.tif 000002
【図２】
0005292495.tif 000003
【図３】
0005292495.tif 000004
【図４】
0005292495.tif 000005
【図５】
0005292495.tif 000006
【図６】
0005292495.tif 000007
【図７】
0005292495.tif 000008
【図８】
0005292495.tif 000009
【図９】
0005292495.tif 000010
【図１０】
0005292495.tif 000011